(57)【要約】【課題】隣接セルで同一周波数を用いるシステムにおいて、ファーストパイロット信号の受信品質、及びファーストパイロット信号とは異なる信号区間に伝送された信号の受信品質に基づいてチャネルの受信品質を判定することにより、隣接セルから到来する干渉の影響を抑制するスケジューリングを行うこと。【解決手段】セル内に存在する端末へ複数のチャネルのいずれかを割り当て、ファーストパイロット信号を含む送信単位を端末へ送信する通信制御装置（基地局）は、複数のチャネルから、ファーストパイロット信号の受信品質を示す第一品質情報（ファーストＣＱＩ値）と、ファーストパイロット信号とは異なる信号区間に伝送された信号の受信品質を示す第二品質情報（セカンドＣＱＩ値）との差が、予め設定した第一閾値以上となるチャネルを優先して選択し（Ｓ２４）、選択したチャネルを端末へ割り当てる（Ｓ２７）。【選択図】図７
2008035158.tif 000002
【特許請求の範囲】
【請求項１】
セル内に存在する端末へ複数のチャネルのいずれかを割り当て、少なくともファーストパイロット信号を含む送信単位を前記端末へ送信する通信制御装置におけるスケジューリング方法であって、
前記複数のチャネルから、前記ファーストパイロット信号の受信品質を示す第一品質情報と、前記ファーストパイロット信号とは異なる信号区間に伝送された信号の受信品質を示す第二品質情報との差が、予め設定した第一閾値以上となるチャネルを優先して選択し、選択したチャネルを端末へ割り当てることを特徴とするスケジューリング方法。
【請求項２】
前記第一の品質情報と前記第二の品質情報とを受信するステップと、
前記第二品質情報から前記第一品質情報を差し引いて品質差分を算出するステップと、
前記算出した品質差分が前記第一閾値以上であるチャネルを優先して選択するステップと、
前記選択したチャネルを端末へ割り当てるステップと、を含むことを特徴とする請求項１記載のスケジューリング方法。
【請求項３】
前記チャネルを選択するステップは、さらに、前記選択したチャネルの中から、当該チャネルの第二品質情報が、他のチャネルの第一品質情報よりも良好であるチャネルを選択することを特徴とする請求項２記載のスケジューリング方法。
【請求項４】
前記チャネルを選択するステップは、前記複数のチャネルそれぞれの第一品質情報が予め設定された第二閾値より大きいチャネルがない場合に、前記品質差分が第一の閾値以上であるチャネルを優先して選択することを特徴とする請求項２記載のスケジューリング方法。
【請求項５】
前記第二品質情報から前記第一品質情報を差し引いた品質差分を前記端末から受信するステップと、
前記受信した品質差分が前記第一閾値以上であるチャネルを優先して選択するステップと、
前記選択したチャネルへ端末を割り当てるステップと、を含むことを特徴とする請求項１記載のスケジューリング方法。
【請求項６】
前記第二品質情報から前記第一品質情報を差し引いた品質差分であって、前記第一閾値以上である品質差分を前記端末から受信するステップと、
前記端末から品質差分が通知されたチャネルを優先して選択するステップと、
前記選択したチャネルへ端末を割り当てるステップと、を含むことを特徴とする請求項１記載のスケジューリング方法。
【請求項７】
前記第一品質情報と、前記第二品質情報との差が第一閾値以上のチャネルが存在しない場合に、前記第一品質情報が大きい順に空きチャネルを選択し、選択したチャネルを端末へ割り当てることを特徴とする請求項１記載のスケジューリング方法。
【請求項８】
前記第一品質情報は、前記複数のチャネルについて、ファーストパイロット信号の信号区間の受信品質を示す値であり、
前記第二品質情報は、セル内に存在する端末へ割り当てられたチャネルについて、前記ファーストパイロット信号とは異なる信号区間に伝送された、セカンドパイロット信号またはデータ信号のいずれかの受信品質を示す値であることを特徴とする請求項１記載のスケジューリング方法。
【請求項９】
セル内に存在する端末へ複数のチャネルのいずれかを割り当て、少なくともファーストパイロット信号を含む送信単位を前記端末へ送信する通信制御装置であって、
ファーストパイロット信号の受信品質を示す第一品質情報と、前記ファーストパイロット信号とは異なる信号区間に伝送された信号の受信品質を示す第二品質情報とを、前記端末が測定した結果を示す品質通知情報を受信する受信機と、
前記第一品質情報と前記第二品質情報との差が、予め設定した第一閾値以上となるチャネルを優先して端末へ割り当て、チャネルを割り当てた結果を示すスケジューリング情報を生成するスケジューリング部と、
生成したスケジューリング情報を前記セル内に存在する端末へ報知する送信機と、を備えることを特徴とする通信制御装置。
【請求項１０】
セル内の端末を制御する、請求項９記載の通信制御装置と通信を行う端末装置であって、
通信制御装置から報知されるスケジューリング情報を受信する受信機と、
前記受信したスケジューリング情報に基づいて、前記ファーストパイロット信号の受信品質と、前記ファーストパイロット信号とは異なる信号区間に伝送された信号の受信品質とを測定する測定部と、
前記測定部が測定した測定結果を示す品質通知情報を生成する品質通知情報生成部と、
前記生成した品質通知情報を前記通信制御装置へ送信する送信機と、を備えることを特徴とする端末装置。
【請求項１１】
前記測定部は、前記受信したスケジューリング情報に基づいて、各チャネルのファーストパイロット信号の受信品質、及び前記通信制御装置が制御するセル内の端末それぞれに割り当てられたチャネルについて、前記ファーストパイロット信号とは異なる信号区間に伝送された信号の受信品質を測定することを特徴とする請求項１０記載の端末装置。
【請求項１２】
前記品質通知情報生成部は、前記ファーストパイロット信号の受信品質を示す第一品質情報と、前記ファーストパイロット信号とは異なる信号区間に伝送された信号の受信品質を示す第二品質情報との差が予め設定した第一閾値以上である場合に、前記第二品質情報を示す情報を含む品質通知情報を生成することを特徴とする請求項１０記載の端末装置。
【発明の詳細な説明】
【技術分野】
【０００１】
本発明は、隣接セルで同一周波数を用いるシステムにおいて、端末を複数のチャネルのいずれかへ割り当て、少なくともファーストパイロット信号を含む送信単位を送信する通信制御装置におけるスケジューリング方法に関し、特に、隣接セルの干渉の影響を抑制するスケジューリング方法に関する。
【背景技術】
【０００２】
近年のデータ通信量の増加に伴い、より高い周波数利用効率を有する移動体通信システムの必要性が高まっており、その実現を目指した様々な技術が提案されている。周波数利用効率を高める可能性を持った技術のひとつに直交周波数分割多重アクセス（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）があり、３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）を中心に標準化が進められているＥ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）システムのダウンリンクアクセス方式への採用も決定されている（非特許文献１）。
【０００３】
このＥ−ＵＴＲＡのダウンリンクにおける周波数・時間リソースの分割例を図１０に示す。図１０の上段はシステム全体のリソースの分割例を、図１０の下段は１リソースブロックの信号構成をそれぞれ示している。Ｅ−ＵＴＲＡダウンリンクでは、周波数及び時間を図１０の上段に示すように分割した１つのブロック（斜線部）をリソースブロックとし、１リソースブロックを端末がアクセスする単位としている。１つのリソースブロックは図１０の下段に示すように、パイロット信号とデータ（ここでは制御情報も含む）信号から構成される。ここで、図１０の下段に示すように、１つのリソースブロックにはファーストパイロット信号とセカンドパイロット信号の２つのパイロット信号が設けられている。
【０００４】
このうち、ファーストパイロット信号はリソースブロックに常時挿入される既知の信号であり、セルサーチや伝搬路推定値の算出、周波数チャネルの品質測定に用いられる。ファーストパイロット信号で測定された各端末における各周波数チャネルの品質（受信ＳＩＮＲ：Ｓｉｇｎａｌ  ｔｏ  Ｉｎｔｅｒｆｅｒｅｎｃｅ  ｐｌｕｓ  Ｎｏｉｓｅ  ｐｏｗｅｒ  Ｒａｔｉｏ）は、ＣＱＩ（Ｃｈａｎｎｅｌ  Ｑｕａｌｉｔｙ  Ｉｎｄｉｃａｔｏｒ）として各端末から基地局へ送信され、基地局においてそれらのＣＱＩに基づくスケジューリング（リソース割り当て）が行われることとなる。この時、高いＣＱＩが得られる周波数チャネルを各端末にそれぞれ割り当てることにより、高い希望信号電力が得られる周波数チャネルを用いた伝送を各端末に対して行うことが可能となり、高いマルチユーザダイバーシチ効果を得ることができる。
【０００５】
一方、セカンドパイロット信号は基本的に、指向性ビームを形成した伝送やＭＩＭＯ（Ｍｕｌｔｉ−Ｉｎｐｕｔ  Ｍｕｌｔｉ−Ｏｕｔｐｕｔ）伝送が行われる際の伝搬路推定値の算出に使用される。また、上記以外の伝送の際にも、端末が高速移動する場合にはファーストパイロット信号を用いた伝搬路推定だけではフェージングの変動速度に追従できないため、セカンドパイロット信号による伝搬路推定も併用することにより、伝搬路推定精度の劣化を抑えることができる。
【非特許文献１】３ＧＰＰ，  ＴＲ  ２５．８１４  ｖ０．３．１，  “Ｐｈｙｓｉｃａｌ  Ｌａｙｅｒ  Ａｓｐｅｃｔｓ  ｆｏｒ  Ｅｖｏｌｖｅｄ  ＵＴＲＡ”、２００５年１０月
【発明の開示】
【発明が解決しようとする課題】
【０００６】
Ｅ−ＵＴＲＡシステムは全てのセルで同一周波数帯域を用いるシステムであるため、隣接セルから到来する干渉の影響により受信信号の品質（受信ＳＩＮＲ）は大幅に劣化する。これに対し、隣接セルにおいて端末が割り当てられていない（信号が伝送されていない）リソースを用いて自セルの端末への伝送を行う、つまり隣接セルから到来する干渉の有無を考慮したスケジューリングを行うことにより、干渉の影響を受けることなく良好な伝送を行うことが可能となる。しかし、ファーストパイロット信号は全てのセルにおいてほぼ同一タイミングで送信されるため、常に隣接セルからの干渉を受けることとなり、ファーストパイロット信号において測定される各周波数チャネルのＣＱＩを用いても、隣接セルから到来する干渉の有無を考慮したスケジューリングを行うことはできないという問題がある。
【０００７】
本発明は、このような事情に鑑みてなされたものであり、隣接セルで同一周波数を用いるシステムにおいて、ファーストパイロット信号の受信品質、及びファーストパイロット信号とは異なる信号区間に伝送された信号の受信品質に基づいてチャネルの受信品質を判定することにより、隣接セルから到来する干渉の影響を抑制するスケジューリングを行うスケジューリング方法並びに前記スケジューリング方法を実施する装置を提供することを目的とする。
【課題を解決するための手段】
【０００８】
（１）上記課題を解決するために、本発明に係るスケジューリング方法の一態様は、セル内に存在する端末へ複数のチャネルのいずれかを割り当て、少なくともファーストパイロット信号を含む送信単位を前記端末へ送信する通信制御装置におけるスケジューリング方法であって、前記複数のチャネルから、前記ファーストパイロット信号の受信品質を示す第一品質情報と、前記ファーストパイロット信号とは異なる信号区間に伝送された信号の受信品質を示す第二品質情報との差が、予め設定した第一閾値以上となるチャネルを優先して選択し、選択したチャネルを端末へ割り当てることを特徴とする。
【０００９】
このように、隣接セルで同一周波数を使用するシステムにおいて、システムが使用できる複数のチャネルのいずれかを端末へ割り当てるスケジューリングを行う場合に、（Ａ）干渉は、隣接セルで同じチャネルへ端末が割り当てられていると干渉が大きくなること、（Ｂ）前記干渉は、隣接セルと同じタイミングで送信されるファーストパイロット信号の受信品質と、送信単位内におけるファーストパイロット信号とは異なる信号区間の信号であって、端末（端末装置）が割り当てられている場合に信号が送信される信号区間の信号の受信品質との差を用いて検出できること、に着目したものである。すなわち、前記第一品質情報は、隣接セルから到来する干渉がある場合の受信品質を示すことになり、前記第二品質情報は、チャネルによって隣接セルに端末が割り当てられている場合と割り当てられていない場合とがあるため、隣接セルの同じチャネルに端末が割り当てられていない場合は、前記第二品質情報が前記第一品質情報より良好になっていると推定される。従って、前記第一品質情報と前記第二品質情報とを比較することにより、隣接セルで端末が割り当てられていないと推定されるチャネルを複数のチャネルから優先して選択し、選択したチャネルを端末へ割り当てる。各チャネルの前記第一品質情報と、ファーストパイロット信号とは異なる信号区間の信号の受信品質の測定が可能なチャネルの前記第二品質情報とは、端末で測定され、通信制御装置（基地局）へ通知される。このようにして、本発明のスケジューリング方法の一態様は、チャネル品質情報に基づいて、隣接セルから到来する干渉を抑制することを実現する。
【００１０】
（２）また、本発明に係るスケジューリング方法の一態様において、前記第一の品質情報と前記第二の品質情報とを受信するステップと、前記第二品質情報から前記第一品質情報を差し引いて品質差分を算出するステップと、前記算出した品質差分が前記第一閾値以上であるチャネルを優先して選択するステップと、前記選択したチャネルを端末へ割り当てるステップと、を含むことを特徴とする。
【００１１】
このように、端末が測定した前記第一品質情報と前記第二品質情報とを受信（取得）して、品質差分をチャネル毎に算出し、算出した値を判定することにより、隣接セルで当該チャネルに端末が割り当てられているかを推定し、端末が割り当てられていないと推定されるチャネルを他のチャネルより優先して端末へ割り当てる。これにより、隣接セルから到来する干渉の影響を抑制することができる。
【００１２】
（３）さらに、本発明に係るスケジューリング方法の一態様において、前記チャネルを選択するステップは、さらに、前記選択したチャネルの中から、当該チャネルの第二品質情報が、他のチャネルの第一品質情報よりも良好であるチャネルを選択することを特徴とする。
【００１３】
このように、前記品質差分の判定に加え、前記第二受信品質を他のチャネルの第一受信品質と比較することにより、他のチャネルに比べて伝搬路状況が良好でないと推定されるチャネルが選択されることを排除する。これにより、伝搬路状況が悪いチャネルを割り当ての対象から排除し、受信品質を良好に維持することができる。
【００１４】
（４）本発明に係るスケジューリング方法の一態様において、前記チャネルを選択するステップは、前記複数のチャネルそれぞれの第一品質情報が予め設定された第二閾値より大きいチャネルがない場合に（この場合にのみ）、前記品質差分が第一の閾値以上であるチャネルを優先して選択することを特徴とする。
【００１５】
このように、端末の受信品質が良好であり、隣接セルから到来する干渉の影響が少ないと推定される場合には、前記第一品質情報に基づいてチャネルを選択する方法で受信品質を維持できるため、品質差分に基づいてチャネルを選択する処理を省略する。これにより、スケジューリング処理の負荷を軽減することができる。
【００１６】
（５）本発明に係るスケジューリング方法の一態様において、前記第二品質情報から前記第一品質情報を差し引いた品質差分を前記端末から受信するステップと、前記受信した品質差分が前記第一閾値以上であるチャネルを優先して選択するステップと、前記選択したチャネルへ端末を割り当てるステップと、を含むことを特徴とする。
【００１７】
このように、端末が算出した品質差分を受信し、チャネル毎に受信した品質差分を判定することにより、隣接セルで当該チャネルに端末が割り当てられているかを推定し、端末が割り当てられていないと推定されるチャネルを他のチャネルより優先して端末へ割り当てる。これにより、隣接セルから到来する干渉の影響を抑制する。また、品質差分の算出を端末側で実施することにより、通信処理装置側の処理負担が軽減される。
【００１８】
（６）本発明に係るスケジューリング方法の一態様において、前記第二品質情報から前記第一品質情報を差し引いた品質差分であって、前記第一閾値以上である品質差分を前記端末から受信するステップと、前記端末から品質差分が通知されたチャネルを優先して選択するステップと、前記選択したチャネルへ端末を割り当てるステップと、を含むことを特徴とする。
【００１９】
このように、端末側は、品質差分の算出、並びに品質差分の値を判定し、隣接セルに端末が割り当てられていないと推定されるチャネルの品質差分を通信制御装置へ通知する。通信制御装置は、品質差分が通知されたチャネルを他のチャネルより優先して選択する。これにより、隣接セルから到来する干渉の影響を抑制する。また、端末側で品質差分の判定を実施することにより、通信装置側の処理負担を軽減するとともに、端末から基地局へ通知する情報量を削減することができる。
【００２０】
（７）本発明に係るスケジューリング方法の一態様において、前記第一品質情報と、前記第二品質情報との差が第一閾値以上のチャネルが存在しない場合に、前記第一品質情報が大きい順に空きチャネルを選択し、選択したチャネルを端末へ割り当てることを特徴とする。
【００２１】
このように、隣接セルにおいて端末が割り当てられていない所定の品質のチャネルが存在しないと推定される場合には、前記第一品質情報が大きい順にチャネル割り当てを実施するものであり、隣接セルに端末が割り当てられていない場合であっても、所定の品質を満たさない場合には、前記第一品質情報の大きいチャネルから端末を割り当てることにより受信品質を良好にしようとするものである。
【００２２】
（８）本発明に係るスケジューリング方法の一態様において、前記第一品質情報は、前記複数のチャネルについて、ファーストパイロット信号の信号区間の受信品質を示す値であり、前記第二品質情報は、セル内に存在する端末へ割り当てられたチャネルについて、前記ファーストパイロット信号とは異なる信号区間に伝送された、セカンドパイロット信号またはデータ信号のいずれかの受信品質を示す値であることを特徴とする。
【００２３】
このように、端末側では、前記第一品質情報として、ファーストパイロット信号の受信品質を測定し、前記第二品質情報として、セル内に存在する端末が割り当てられているチャネルのセカンドパイロット信号、またはセカンドパイロット信号がない場合はデータ信号の受信信号を測定し、測定した結果を通信制御装置へ通知する。測定した結果は、測定した値そのもの、測定した値を用いて算出した品質差分、さらに算出した品質差分を判定して隣接セルで端末が割り当てられてないと推定されたチャネルの品質差分等の内容で端末から通信制御装置へ通知される。測定した結果の内容は、予め通信制御装置と端末との間で取り決めた内容・形式を用いる。これにより、通信制御装置は、隣接セルから到来する干渉の影響を推定することが可能になり、これを考慮してスケジューリング処理を実施することができる。
【００２４】
（９）また、本発明に係る通信制御装置の一態様は、セル内に存在する端末へ複数のチャネルのいずれかを割り当て、少なくともファーストパイロット信号を含む送信単位を前記端末へ送信する通信制御装置であって、ファーストパイロット信号の受信品質を示す第一品質情報と、前記ファーストパイロット信号とは異なる信号区間に伝送された信号の受信品質を示す第二品質情報とを、前記端末が測定した結果を示す品質通知情報を受信する受信機と、前記第一品質情報と前記第二品質情報との差が、予め設定した第一閾値以上となるチャネルを優先して端末へ割り当て、チャネルを割り当てた結果を示すスケジューリング情報を生成するスケジューリング部と、生成したスケジューリング情報を前記セル内に存在する端末へ報知する送信機と、を備える。
【００２５】
このように、端末が測定した前記第一品質情報と前記第二品質情報とに関する品質通知情報を受信し、受信した品質通知情報に基づいて、前記第一品質情報と前記第二品質情報との差を判定することにより、隣接セルで当該チャネルに端末が割り当てられているかを推定し、端末が割り当てられていないと推定されるチャネルを他のチャネルより優先して端末へ割り当てる。これにより、隣接セルから到来する干渉の影響を抑制することができる。
【００２６】
（１０）さらに、本発明に係る端末装置の一態様は、セル内の端末を制御する、上記（９）記載の通信制御装置と通信を行う端末装置であって、通信制御装置から報知されるスケジューリング情報を受信する受信機と、前記受信したスケジューリング情報に基づいて、前記ファーストパイロット信号の受信品質と、前記ファーストパイロット信号とは異なる信号区間に伝送された信号の受信品質とを測定する測定部と、前記測定部が測定した測定結果を示す品質通知情報を生成する品質通知情報生成部と、前記生成した品質通知情報を前記通信制御装置へ送信する送信機と、を備える。
【００２７】
このように、前記端末装置は、前記第一品質情報と前記第二品質情報との差を判定するための品質通知情報を生成して通信制御装置へ送信する。測定した結果に基づいて生成される品質通知情報は、測定した値そのもの、測定した値を用いて算出した品質差分、さらに算出した品質差分を判定して隣接セルで端末が割り当てられてないと推定されたチャネルの品質差分等の内容で生成される。品質通知情報の内容は、予め通信制御装置と端末との間で取り決めた内容・形式を用いる。通信制御装置は、端末が割り当てられていないと推定されるチャネルを他のチャネルより優先して端末へ割り当てる。これにより、隣接セルから到来する干渉の影響を抑制することができる。
【００２８】
（１１）本発明に係る端末装置の一態様において、前記測定部は、前記受信したスケジューリング情報に基づいて、各チャネルのファーストパイロット信号の受信品質、及び前記通信制御装置が制御するセル内の端末それぞれに割り当てられたチャネルについて、前記ファーストパイロット信号とは異なる信号区間に伝送された信号の受信品質を測定することを特徴とする。
【００２９】
このように、端末装置では、前記第一品質情報として、ファーストパイロット信号の受信品質を測定し、前記第二品質情報として、セル内に存在する端末が割り当てられているチャネルのセカンドパイロット信号、またはセカンドパイロット信号がない場合にはデータ信号の受信品質を測定し、測定した結果を通信制御装置へ通知する。これにより、通信制御装置は、隣接セルから到来する干渉の影響を推定することが可能になり、これを考慮してスケジューリング処理を実施することができる。
【００３０】
（１２）本発明に係る端末装置の一態様において、前記品質通知情報生成部は、ファーストパイロット信号の受信品質を示す第一品質情報と、前記ファーストパイロット信号とは異なる信号区間に伝送された信号の受信品質を示す第二品質情報との差が予め設定した第一閾値以上である場合に、前記第二品質情報を示す情報を含む品質通知情報を生成することを特徴とする。
【００３１】
このように、前記品質通知情報生成部は、前記第一品質情報と前記第二品質情報との差が前記第一閾値以上のチャネルについて、前記第二品質情報に関する情報を品質通知情報へ加える。具体的には、前記第二品質情報を加える場合、前記第二品質情報から前記第一品質情報を差し引いた品質差分を加える場合等、前記第二品質情報そのもの、あるいは前記第二品質情報から導出された情報を品質通知情報へ加える。これにより、通信制御装置は、隣接セルから到来する干渉の影響を推定することが可能になり、これを考慮してスケジューリング処理を実施することができる。
【発明の効果】
【００３２】
本発明によれば、隣接セルで同一周波数を用いるシステムにおいて、ファーストパイロット信号の受信品質、及びファーストパイロット信号とは異なる信号区間に伝送された信号の受信品質に基づいてチャネルの受信品質を判定することにより、隣接セルから到来する干渉の影響を抑制するスケジューリングを行うことが可能となる。
【発明を実施するための最良の形態】
【００３３】
次に、本発明の実施の形態について、図面を参照しながら説明する。各図面において同一の構成または機能を有する構成要素および相当部分には、同一の符号を付し、その説明は省略する。
【００３４】
以下では、ＯＦＤＭＡを採用するＥ−ＵＴＲＡシステムにおけるダウンリンク伝送を例として、本発明によるスケジューリング方法及びそれを用いる無線通信システムや基地局構成、端末構成について説明する。但し、本発明はマルチキャリア伝送を用いるシステムに限らず、複数のチャネル（周波数チャネル、時間チャネル、符号等）を有するシステムに適用可能である。
【００３５】
ここで、図１にＥ−ＵＴＲＡシステムにおいて隣接セルから到来する干渉波の状況について示す。但し、簡単のため隣接セルは１つとした場合のセル構成例を示す。図２は、一フレームの構成例と、隣接セル（セル２）の端末割り当て状況に応じた端末Ａにおける受信ＣＱＩの変動例を示している。
【００３６】
図２上段のＣＱＩのグラフは、セル１において端末Ａに割り当てられたリソースと同一のリソースがセル２においても使用されている場合の端末Ａにおける受信ＣＱＩを示す（以下、「受信ＣＱＩ９１」と記す）。例えば、端末Ｂに割り当てられている場合である。図２下段の受信ＣＱＩのグラフはセル１において端末Ａに割り当てられたリソースと同じリソースがセル２において使用されていない（どの端末にも割り当てられていない）場合の端末Ａにおける受信ＣＱＩ（以下、「受信ＣＱＩ９２」と記す）を示す。
【００３７】
受信ＣＱＩ９１に示すように、端末Ａに割り当てられたリソースと同じリソースがセル２の端末Ｂに割り当てられている場合には、端末Ｂ宛の信号が端末Ａにおいては干渉として観測されるため、端末Ａにおける受信ＣＱＩはフレーム中で常に低いレベルとなる。これに対し、端末Ａに割り当てられたリソースと同じリソースがセル２では使用されていない場合には、受信ＣＱＩ９２に示すように、ファーストパイロット信号の受信区間では受信ＣＱＩ９１の場合と同様、受信ＣＱＩは低いレベルとなっているが、それ以外の区間では高い受信ＣＱＩが得られている。これは、先に述べたように、ファーストパイロット信号は常に全てのセルにおいてほぼ同一タイミングで送信されるため、他セルからの干渉の影響を必ず受けるのに対し、データ信号及びセカンドパイロット信号は端末が割り当てられた場合にのみ送信されるため、隣接セルの割り当て状況によっては干渉の影響を受けない場合もあるためである。
【００３８】
ここで、例えば、隣接セルのトラフィックがさほど高くなく図２の受信ＣＱＩ９１と受信ＣＱＩ９２に示すような周波数チャネルがある場合、図２の受信ＣＱＩ９２に示す周波数チャネルを用いて伝送を行う方が、図２の受信ＣＱＩ９１に示す周波数チャネルを用いる場合に比べ、良好な信号伝送を行うことが可能となるものと考えられる。しかし、従来のＥ−ＵＴＲＡシステムでは、セル内の全端末のスケジューリングはファーストパイロット信号で測定されたＣＱＩを用いて行われるため、隣接セルの割当状況をも考慮したスケジューリングを行うことはできない。従って、図２の受信ＣＱＩ９２に示すような干渉の少ない周波数チャネルを常に優先して端末に割り当てることはできなかった。
【００３９】
以下に説明する実施の形態では、ファーストパイロット信号のように、セル間で同じタイミングで伝送される信号（ファーストパイロット信号）と、各セルのスケジューリング結果やトラフィック等に応じてセル間で同時に送信されるとは限らない信号との受信品質（受信ＣＱＩ）を用いて、隣接セルの割り当て状況を検出しようとするものである。セル間で同時に送信されるとは限らない信号（ファーストパイロット信号とは異なる信号区間に伝送される信号）としては、データ信号やセカンドパイロット信号が挙げられる。このデータ信号またはセカンドパイロット信号におけるＣＱＩから隣接セルの割り当て状況をある程度判断（推定）することが可能となるため、ファーストパイロット信号で測定されたＣＱＩだけでなく、データ信号やセカンドパイロット信号で測定されたＣＱＩを併用することにより、隣接セルの割り当て状況を考慮したスケジューリングを行う。
【００４０】
以下の説明では、通信制御装置（制御装置）は、セル内に存在する複数の端末を制御し、複数のチャネルのいずれかへ端末を割り当てるスケジューリングを行い、端末へ割り当てたチャネルによって送信単位を端末へ送信する通信装置であり、ここでは、各セルに配置されている基地局装置（基地局）を一例として説明する。端末装置（端末）は、通信制御装置の制御に基づいて、割り当てられたリソースブロックに送信されるデータを受信する。
【００４１】
チャネルは、例えば、周波数チャネル、時間チャネル、符号（符号化方式）などであり、端末を割り当てる資源（リソース）の種類を特定する。また、チャネルは、上記の三つの種類に限られることはなく、通信制御装置が端末をスケジューリングする場合に、割り当てるリソースとなり得るものであればその他のものであってもよい。一つのチャネルは、複数の要素を有し、例えば、周波数チャネルは、図１０の下段に示すように複数のサブキャリアから構成される所定の周波数帯域（リソースブロックの周波数帯域）である周波数チャネルを複数有する。通信制御装置は、スケジューリング処理を行い、各端末を複数のチャネルのいずれかへ割り当てる。以下の説明では、チャネルの一例として周波数チャネルを用いて説明するが、これに限られるわけではない。
【００４２】
リソースブロックは、システムで使用できるリソースを分割した一つの単位であり、この単位が送信単位となる。図１０に示すように、一定の時間長で定められる一以上のフレーム（時間チャネル）と、一定の周波数帯域で定められる一以上周波数チャネルとによって特定される送信単位である。図１０では、一つのリソースブロックは、一つのフレームと一つの周波数チャネルで特定される例を示している。一つのリソースブロックが、複数のフレームと複数の周波数チャネルから特定される場合であってもかまわないが、リソースブロックが送信単位、すなわち端末を割り当てる最小単位となる。複数のリソースブロックの集合がスケジューリング単位となる。通信制御装置は、スケジューリング単位でスケジューリングを行う。
【００４３】
送信単位（パケット）は、少なくともファーストパイロット信号を含む。また、送信単位内で、ファーストパイロット信号とは異なる信号区間（信号領域）に伝送される信号としては、データ信号やセカンドパイロット信号等がある。図１０に示すように、リソースブロック内で、パイロット信号が割り当てられる区間（領域）とデータが割り当てられる区間（領域）とは区別されている。
【００４４】
ファーストパイロット信号は、隣接するセル間で同時に端末へ伝送される信号であり、復調用の既知信号を含む。セカンドパイロット信号は、ファーストパイロット信号と併用して伝搬路推定精度を向上させるために用いる既知信号であり、具体的には背景技術で述べた場合などに用いられる。
【００４５】
受信品質情報（品質通知情報）は、受信品質（以下、受信品質を「ＣＱＩ」と記すことがある）を示す値であり、本明細書では、受信品質情報が大きいほど、受信品質が良好であることを前提とする。例えば、受信ＳＩＮＲなどの測定値を用いる。
【００４６】
本発明は、隣接セルで同一周波数を用いるシステムにおいて、通信制御装置が、端末が測定した受信品質情報として、チャネル毎に、セル間で同時に伝送される信号（ファーストパイロット信号）の受信品質と、セル間で同時に伝送されるとは限らない信号（データ信号、セカンドパイロット信号等）の受信品質とを受信する場合に適用することが可能である。通信制御装置は、端末から通知された受信品質情報に基づいて、複数のチャネルから、隣接セルで端末が割り当てられていないと推定されるチャネルを優先して選択し、選択したチャネルの空いているリソースに端末を割り当てる。
【００４７】
（実施の形態１）
本実施の形態では、基地局装置が、ファーストパイロット信号の受信品質とセカンドパイロット信号（またはデータ信号）の受信品質を用いて、複数の周波数チャネルへ端末を割り当てるスケジューリング方法の一態様を説明する。
【００４８】
実施の形態１における端末装置は、ファーストパイロット信号のＣＱＩだけでなく、セカンドパイロット信号のＣＱＩも測定し、その測定結果を基地局に通知する構成とする。また、基地局装置は、各端末から通知されたファーストパイロット信号のＣＱＩとセカンドパイロット信号（またはデータ信号）のＣＱＩを基に隣接セルにおいて使用されていない周波数チャネルを判断（推定）して選択し、選択した周波数チャネルを優先して自セル内の端末に割り当てる構成とする。以下の説明では、端末が割り当てられたリソースブロックには常にセカンドパイロット信号が多重されていることを前提とするが、端末が割り当てられたリソースブロックにセカンドパイロット信号が多重されない場合には、セカンドパイロット信号の代わりにデータ信号のＣＱＩを測定する構成としてもよい。
【００４９】
まず、実施の形態１における端末装置１００の構成の一例を図３に示す。図３に示すように、本実施の形態による端末装置１００は、アンテナ部１０、無線部１１、スイッチ１２、受信機３０、送信機３１から構成され、受信機３０はＡ／Ｄ（Ａｎａｌｏｇ  ｔｏ  Ｄｉｇｉｔａｌ）変換部（Ａ／Ｄ）１３、同期部１４、ＧＩ（Ｇｕａｒｄ  Ｉｎｔｅｒｖａｌ）除去部１５、Ｓ／Ｐ（Ｓｅｒｉａｌ  ｔｏ  Ｐａｒａｌｌｅｌ）変換部（Ｓ／Ｐ）１６、ＦＦＴ（Ｆａｓｔ  Ｆｏｕｒｉｅｒ  Ｔｒａｎｓｆｏｒｍ）部（ＦＦＴ）１７、チャネル選択・信号分離部（選択・分離部）１８、伝搬路推定部１９、ＣＱＩ測定部（測定部）２０、伝搬路補償部２１、デマッピング・誤り訂正復号部（復号部）２２から構成される。また、送信機３１は、ＣＱＩ情報生成部（品質通知情報生成部、受信品質情報生成部）２３、誤り訂正符号化・変調部（変調部）２４、Ｓ／Ｐ変換部（Ｓ／Ｐ）２５、パイロット信号多重部（多重部）２６、ＩＦＦＴ（Ｉｎｖｅｒｓｅ  ＦＦＴ）部（ＩＦＦＴ）２７、ＧＩ挿入部２８、Ｄ／Ａ（Ｄｉｇｉｔａｌ  ｔｏ  Ａｎａｌｏｇ）変換部（Ｄ／Ａ）２９から構成される。
【００５０】
基地局から伝送される図１０に示すようなリソースブロック（送信単位）を受信する場合、図３に示す端末は、アンテナ部１０で受信された信号を無線部１１にてＡ／Ｄ変換可能な周波数に変換し、スイッチ１２を経由してＡ／Ｄ変換部１３においてディジタル信号に変換する。次いで、同期部１４にてシンボル同期を確立し、ＧＩ除去部１５においてシンボル毎にＧＩを除去した後、Ｓ／Ｐ変換部１６を経由してＦＦＴ部１７において時間領域の信号を周波数領域の信号に変換する。
【００５１】
この受信信号にはセル内の他端末宛のデータ信号も含まれているため、チャネル選択・信号分離部１８は、必要な信号のみ抜き出し（抽出し）、抽出した必要な信号からパイロット信号とデータ信号を分離する処理を行う。ここで、必要な信号とは、自端末が割り当てられたリソースブロックのデータ信号（自端末宛のデータ信号）と、パイロット信号であり、パイロット信号は、全リソースブロックのファーストパイロット信号と、自セル内の端末（自端末及びセル内に存在する他の各端末）が割り当てられている各リソースブロックのセカンドパイロット信号（セカンドパイロット信号に代わる信号の場合を含む）である。チャネル選択・信号分離部１８は、基地局から事前に通知されたスケジューリング情報の復調結果を基に、必要な信号を選択・分離する。チャネル選択・信号分離部１８は、セカンドパイロット信号を抜き出す際に、どのリソースに自セル内の端末が割り当てられているかを把握する必要があるが、これは、基地局から事前に通知されたスケジューリング情報を復調することにより可能となる。
【００５２】
このチャネル選択・信号分離部１８において抜き出された自端末宛のデータ信号は、伝搬路補償部２１へ送られる。また、自端末宛のデータが伝送されたリソースのファーストパイロット信号及びセカンドパイロット信号は共に伝搬路推定部１９へ送られ、伝搬路推定値の算出に利用される。伝搬路推定部１９で算出された伝搬路推定値は、伝搬路補償部２１に送られ、伝搬路補償部２１においてデータ信号の伝搬路補償が行われる。そして、伝搬路補償されたデータ信号は、デマッピング・誤り訂正復号部２２において復調及び復号され、送信されたデータが再生される。この時の復調・復号は、先に通知された変調パラメータ情報（変調方式及び符号化率を示す情報）を基に行われる。
【００５３】
また、チャネル選択・信号分離部１８は、必要な信号として抜き出したパイロット信号（ファーストパイロット信号とセカンドパイロット信号）をＣＱＩ測定部２０に送る。前述したようにパイロット信号は、自端末宛のデータが伝送されたリソースブロックのパイロット信号だけでなく、その他の全リソースブロックのファーストパイロット信号と、自セル内の端末が割り当てられているリソースのセカンドパイロット信号が含まれる。ＣＱＩ測定部２０では、全てのファーストパイロット信号と、端末が割り当てられたリソースブロックすべてのセカンドパイロット信号（伝送された全てのセカンドパイロット信号）のＣＱＩの測定がそれぞれ行われる。この時のＣＱＩの測定は、本実施の形態ではリソースブロック毎に行われるものとする。
【００５４】
ＣＱＩ測定部２０は、チャネル選択・信号分離部１８から渡されたパイロット信号について、リソースブロック毎にＣＱＩを測定する。リソースブロック毎に測定されたファーストパイロット信号のＣＱＩ測定値とセカンドパイロット信号のＣＱＩ測定値は、次に、ＣＱＩ情報生成部２３へ送られ、基地局へ通知可能な形式に変換される。但し、本実施の形態では、ＣＱＩ情報生成部２３において、ファーストパイロット信号のＣＱＩ測定値とセカンドパイロット信号のＣＱＩ測定値をそれぞれ周波数チャネル毎に数フレーム分平均化して（但し、セカンドパイロット信号については端末が割り当てられたリソース数に応じて平均化）、周波数チャネル毎に所定の数のＣＱＩ測定値を算出して、ファーストパイロット信号の受信品質を示すファーストＣＱＩ値（第一品質情報、第一受信品質情報）と、セカンドパイロット信号の受信品質を示すセカンドＣＱＩ値（第二品質情報、第二受信品質情報）とをＣＱＩ情報として生成し、生成したＣＱＩ情報を基地局に通知する構成とする。一方、このような構成とは異なり、測定したＣＱＩ測定値を平均せず全て基地局に通知する構成としてもよいが、その場合には基地局へ通知する情報量が増大するため、アップリンクの周波数利用効率が低下してしまう。そこで本実施の形態では、ＣＱＩ測定値をそれぞれ周波数チャネル毎に数フレーム分平均化した結果を基地局に通知する構成としている。
【００５５】
本明細書では、ＣＱＩ情報（品質通知情報、受信品質情報）は、ファーストＣＱＩ値と、セカンドＣＱＩ値とを、端末が測定した結果を示す情報であり、端末から基地局へ通知される。また、ＣＱＩ情報は、ファーストＣＱＩ値とセカンドＣＱＩ値とに基づいた情報を示す名称として用い、本実施の形態では、ファーストＣＱＩ値とセカンドＣＱＩ値とを含む情報とする。ＣＱＩ情報は、ファーストＣＱＩ値あるいはセカンドＣＱＩ値を用いて演算等して編集した情報を含む場合もあり得る。
【００５６】
ＣＱＩ情報生成部２３で基地局へ通知可能な形式に変換された周波数チャネル毎のファーストパイロット信号及びセカンドパイロット信号のＣＱＩ情報は、基地局への送信データと共に誤り訂正符号・変調部２４において符号化及び変調される。そして、変調後の信号はＳ／Ｐ変換部２５を経由してパイロット信号多重部２６においてパイロット信号が多重された後、ＩＦＦＴ部２７において周波数領域から時間領域の信号へ変換される。このＩＦＦＴ処理の後、さらにＧＩ挿入部２８においてＧＩが付加され、Ｄ／Ａ変換部２９においてアナログ信号へ変換される。この後、送信信号はスイッチ１２を経由し、無線部１１にて送信可能な周波数に変換され、アンテナ部１０から送信される。
【００５７】
次に、実施の形態１における基地局装置２００の構成の一例を図４に示す。図４に示すように、本実施の形態における基地局装置２００は、アンテナ部４０、無線部４１、スイッチ４２と、受信機５６、送信機５７から構成される。このうち受信機５６はＡ／Ｄ変換部（Ａ／Ｄ）４３、同期部４４、ＧＩ除去部４５、Ｓ／Ｐ変換部（Ｓ／Ｐ）４６、ＦＦＴ部（ＦＦＴ）４７、復調・誤り訂正復号部（復号部）４８から構成される。また、送信機５７は、スケジューリング部４９、誤り訂正符号化・変調部（変調部）５０、Ｓ／Ｐ変換部（Ｓ／Ｐ）５１、パイロット信号多重部（多重部）５２、ＩＦＦＴ部（ＩＦＦＴ）５３、ＧＩ挿入部５４、Ｄ／Ａ変換部（Ｄ／Ａ）５５から構成される。
【００５８】
端末から伝送される信号を受信する場合、図４に示す基地局では、アンテナ部４０で受信された信号を無線部４１にてＡ／Ｄ変換可能な周波数に変換し、スイッチ４２を経由してＡ／Ｄ変換部４３においてディジタル信号に変換する。次いで、同期部４４にてシンボル同期を確立し、ＧＩ除去部４５においてシンボル毎にＧＩを除去した後、Ｓ／Ｐ変換部４６を経由してＦＦＴ部４７において時間領域の信号を周波数領域の信号に変換する。変換された信号は、復調・誤り訂正復号部４８において復調及び復号され、基地局から送信された受信データが再生される。なお、図４では、復調・誤り訂正復号部４８は、復調・誤り訂正復号部４８に伝搬路を推定する伝搬路推定部や伝搬路を補償する伝搬路補償部の機能を含むものとする。復調・誤り訂正復号部４８の処理により、受信データだけでなく端末から通知されるＣＱＩ情報も得られる。また、本実施の形態ではＯＦＤＭＡシステムを対象としているため、基地局装置２００における復調・誤り訂正復号部４８は周波数チャネル（例えば、Ｎチャネル）分備えられているものとする（図４には明示していない）。
【００５９】
受信機５６において得られた端末からの受信データやＣＱＩ情報は、上位層（図示していない）に出力され、それぞれの端末へデータ伝送を行う際に用いる変調パラメータ（変調方式・符号化率）の決定に利用される。また、ＣＱＩ情報はスケジューリング部４９にも送られ、各端末へのリソース割り当てに用いられる。但し、本実施の形態では、データと共に上位層へ出力されるＣＱＩ情報はファーストパイロット信号におけるＣＱＩ測定結果を示す情報（ＣＱＩ測定値）であり、スケジューリング部４９へ出力されるＣＱＩ情報は、ファーストパイロット信号とセカンドパイロット信号におけるＣＱＩ測定結果を示す情報の両方である。
【００６０】
スケジューリング部４９には、各端末において測定されたファーストパイロット信号とセカンドパイロット信号におけるＣＱＩの測定結果を示す情報（ＣＱＩ情報）が入力され、入力されたＣＱＩ情報を基に、端末に割り当てるリソースを決定する処理（スケジューリング）が行われる。スケジューリング部４９では、まず、リソース割り当てを行う対象の端末を１つ選択し、選択された端末で測定されたセカンドパイロット信号におけるＣＱＩ測定値（セカンドＣＱＩ値）とファーストパイロット信号におけるＣＱＩ測定値（ファーストＣＱＩ値）を周波数チャネル毎に比較する。但し、セカンドパイロット信号（あるいはデータ信号）が伝送されずセカンドパイロット信号におけるＣＱＩ測定値が測定できなかった周波数チャネルについては、この比較は行わないものとする。比較の結果、セカンドパイロット信号のＣＱＩ測定値の方がファーストパイロット信号のＣＱＩ測定値よりも予め決められた閾値以上高いと判断された周波数チャネルが存在する場合、（セカンドＣＱＩ値−ファーストＣＱＩ値≧第一閾値）と判断された周波数チャネルのセカンドパイロット信号のＣＱＩ測定値と、それ以外の周波数チャネルのファーストパイロット信号で得られたＣＱＩのうち最大のＣＱＩ測定値（最大ファーストＣＱＩ値）との比較を行う。
【００６１】
この比較の結果、選択された周波数チャネルのセカンドパイロット信号におけるＣＱＩ測定値の方が、ファーストパイロット信号で得られたもののうち最大のＣＱＩ測定値に比べても大きい場合には、選択された周波数チャネルのリソースを該当端末に割り当てる。また、（セカンドＣＱＩ値−ファーストＣＱＩ値≧第一閾値）の条件を満たす周波数チャネルがない場合や、その条件を満たす周波数チャネルはあるものの、他の周波数チャネルのファーストパイロット信号で得られたＣＱＩ測定値の方が高い場合には、ファーストパイロット信号におけるＣＱＩ測定値が最も高い周波数チャネルへ該当端末を割り当てる。スケジューリング部４９は、このような処理が行われ、隣接セルから到来する干渉の影響（隣接セルの割り当て状況）をも考慮した周波数スケジューリングを実現する。また、スケジューリング部４９は、スケジューリング結果を示すスケジューリング情報を生成する。
【００６２】
スケジューリング部４９におけるスケジューリング結果は、スケジューリング情報として誤り訂正符号化・変調部５０やパイロット信号多重部５２、上位層に送られる。上位層では、スケジューリング情報とファーストパイロット信号のＣＱＩ情報（ＣＱＩ測定値）を基に、それぞれの端末へデータ伝送を行う際に用いる変調パラメータを決定し、その決定結果（変調パラメータ情報）と共に、適切なデータサイズの送信データを誤り訂正符号化・変調部５０へ送る。誤り訂正符号化・変調部５０では、スケジューリング情報や変調パラメータ情報、送信データ等が符号化及び変調され、Ｓ／Ｐ変換部５１を経由して、パイロット信号多重部５２においてパイロット信号と多重される。
【００６３】
但し、本実施の形態ではＯＦＤＭＡシステムを対象としているため、基地局における誤り訂正符号化・変調部５０やパイロット信号多重部５２等は周波数チャネル（例えば、Ｎチャネル）分備えられているものとする。周波数チャネル分備えられている構成要素をまとめて、データ処理部ということもできる。図４では、データ処理部は、誤り訂正符号化・変調部５０、Ｓ／Ｐ５１、並びにパイロット信号多重部５２を含み、Ｎ個備えられていることになる。また、図４では、一つのデータ処理部へのデータの入力を示し、他のデータ処理部については、一つのデータ処理部（図４中一番手前のデータ処理部）へのデータ入力をわかりやすくするため省略している。また、パイロット信号多重部５２では、端末が割り当てられていないリソースにおいてもファーストパイロット信号は必ず多重し、スケジューリング情報に基づき端末が割り当てられているリソースには更にセカンドパイロット信号を多重するものとする。
【００６４】
周波数チャネル毎の変調やパイロット信号多重等の処理後、Ｎチャネル分の送信信号はＩＦＦＴ部５３において一括してＩＦＦＴ処理され、周波数領域の信号から時間領域の信号へ変換される。そして、ＧＩ挿入部５４においてＧＩが付加され、Ｄ／Ａ変換部５５においてアナログ信号に変換された後、スイッチ４２を経由して、無線部４１において送信可能な周波数に変換され、アンテナ部４０から送信される。
【００６５】
以上のような端末構成及び基地局構成とすることにより、ファーストパイロット信号のＣＱＩ測定値だけでなくセカンドパイロット信号のＣＱＩ測定値も利用し、隣接セルの割り当て状況を考慮したスケジューリングを行うことができる。
【００６６】
次いで、本実施の形態における端末のＣＱＩ情報通知動作及び基地局のスケジューリング動作を説明する。図５は、本実施の形態における端末の動作の一例を示すフローチャートであり、図６は、本実施の形態における基地局の動作の一例を示すフローチャートであり、図７は、本実施の形態におけるスケジューリング処理（図６のＳ１４）の動作の一例を示すフローチャートである。まず端末側では、図５に示すように、無線機３０は、基地局から送信されたスケジューリング情報を受信し（Ｓ１）、自セル（自己が存在するセル）のリソース割り当て状況を把握する。次に、基地局から送信されたパイロット信号及びデータ信号を受信し（Ｓ２）、選択・分離部１８は、先に得られたスケジューリング情報を基に、必要な信号を抽出する（Ｓ３）。すなわち、選択・分離部１８は、自端末宛のデータ信号、自セル内の端末が割り当てられているリソースのセカンドパイロット信号、並びに全周波数チャネルのファーストパイロット信号を抜き出す（Ｓ３）。そして、受信機３０は、自端末宛のデータ信号を復調しつつ、ＣＱＩ測定部２０において、抽出したファーストパイロット信号及びセカンドパイロット信号におけるＣＱＩの測定を行い、ＣＱＩ測定値を得る（Ｓ４）。
【００６７】
ＣＱＩ情報生成部２３は、ＣＱＩ測定部２０が測定したＣＱＩ測定値を周波数チャネル毎に数フレーム分平均化し、ファーストＣＱＩ値とセカンドＣＱＩ値とを含むＣＱＩ情報を生成する（Ｓ５）。これにより、基地局に通知する情報量を削減する。例えば、ＣＱＩ情報生成部２３は、周波数チャネル毎に数フレーム分のファーストパイロット信号並びにセカンドパイロット信号のＣＱＩ測定値を平均化する。生成されたＣＱＩ情報は、ＣＱＩ測定値を測定した端末から基地局へ通知される（Ｓ６）。
【００６８】
但し、セカンドパイロット信号はいずれかの端末が割り当てられたリソースブロックにおいてのみ送信されるため、全ての周波数チャネルにおいてセカンドパイロット信号のＣＱＩが測定できるとは限らない。そのため本実施の形態では、セカンドパイロット信号のＣＱＩ測定値については、測定できた周波数チャネルのものだけ基地局に通知し、例えば、セカンドパイロット信号のＣＱＩを全く測定できなかった周波数チャネルについては、セカンドパイロット信号のＣＱＩ測定値（セカンドＣＱＩ値）を通知しないものとする。また、ＣＱＩ測定値を平均化する場合には、セカンドパイロット信号が無いリソースブロックでは、ファーストパイロット信号のＣＱＩ測定値（ファーストＣＱＩ値）のみが平均化の対象となる。従って、平均値を算出するセカンドパイロット信号の数は、ファーストパイロット信号より少なくなる場合がある。このような制御を端末側で行うことにより、本実施の形態によるスケジューリングに必要なファーストパイロット信号とセカンドパイロット信号のＣＱＩを測定し、測定結果（ＣＱＩ情報）を基地局へ通知することができる。
【００６９】
次に、基地局の動作を説明する。図６、図７のフローチャートでは、ＣＱＩ情報に基づいて端末を周波数チャネルに割り当てる動作を説明する。図６に示すように基地局側では、まず、送信機５７は、セル内の端末に対しスケジューリング情報を報知する（Ｓ１０）。このスケジューリング情報は、どの端末がどのリソースに割り当てられているかを示す情報であり、リソースに割り当てられている端末が存在しない場合にもその旨を示す情報が報知される。次に、送信機５７は、スケジューリング情報が示すようにリソース割り当てが行われた端末へのデータ信号とパイロット信号を送信する（Ｓ１２）。ファーストパイロット信号はスケジューリング結果に依存することなく常に送信され、セカンドパイロット信号は端末が割り当てられたリソースブロックにおいてのみ多重され、送信される。送信機５７が送信したスケジューリング情報、パイロット信号、並びにデータ信号は、端末側で受信される（図５のＳ１、Ｓ２）。この後、セル内の各端末からＣＱＩの測定結果を示す情報（ＣＱＩ情報）が通知されてくるので（図５のＳ６）、受信機５６は、通知されたＣＱＩ情報を受信する（Ｓ１３）。
【００７０】
スケジューリング部４９は、受信したＣＱＩ情報を利用してスケジューリング処理を実施し、スケジューリング情報を生成する（Ｓ１４）。スケジューリング処理（スケジューリング手順）については後述する。生成されたスケジューリング情報は、上位層、誤り訂正符号化・変調部５０、パイロット信号多重部５２へ通知される（Ｓ１５）。次いで、スケジューリング処理の詳細な動作について、図７を用いて説明する。
【００７１】
スケジューリングの手順は、まず、セル内に位置する全ての端末の中からスケジューリングを行う（データ送信の要求がある）端末を幾つかリストアップし（Ｓ２１）、リストアップされた端末の中から、リソースが割り当てられていない端末を１つ選択する（Ｓ２２）。但し、スケジューリングを行う端末のリストアップは上位層において行われ、リストアップされた端末を特定する端末情報がスケジューリング部４９へ通知されるものとする。また、リストアップされた端末の中から１つの端末を選択する処理はスケジューリング部４９において行われるが、この時の端末の選択方法についてはどのようなものを用いてもよい。本発明においては、選択順は問わない。
【００７２】
次に、スケジューリング部４９は、選択された端末から通知されたファーストパイロット信号のＣＱＩとセカンドパイロット信号のＣＱＩの比較を周波数チャネル毎に行い、セカンドＣＱＩ値からファーストＣＱＩ値を差し引いたＣＱＩ差分（品質差分）を算出する（Ｓ２３）。ＣＱＩ差分は、（セカンドＣＱＩ値−ファーストＣＱＩ値）の式により、セカンドＣＱＩが通知された周波数チャネルでのみ算出される。また、一つの周波数チャネルに複数のＣＱＩ差分が算出される場合は、最大のＣＱＩ差分を選択しておき、セカンドＣＱＩ値が大きい順に周波数チャネルを並べたチャネル候補情報を作成する。これは、一つの周波数チャネルのリソースブロックの多くがセル内の端末に割り当てられている場合に起こる。セカンドＣＱＩ値が端末から通知されていない周波数チャネルについては、ＣＱＩ差分が零として、以降の処理を実施する。
【００７３】
次に、スケジューリング部４９は、チャネル候補情報から順番に周波数チャネルを選択し、ＣＱＩ差分が予め設定した閾値（第一閾値）以上（ＣＱＩ差分≧第一閾値）である周波数チャネルがあるかを判断する（Ｓ２４）。ＣＱＩ差分が第一閾値以上である周波数チャネルが複数ある場合、スケジューリング部４９は、セカンドＣＱＩ値が最大となる周波数チャネルを選択する。なお、ＣＱＩ差分の比較処理はセカンドパイロット信号のセカンドＣＱＩ値が通知された周波数チャネルについてのみ行われる。
【００７４】
ＣＱＩ差分が第一閾値以上である周波数チャネルがあると判断された場合（Ｓ２４でＹＥＳ）、該当する周波数チャネル（選択周波数チャネル）のセカンドＣＱＩ値と、その他の周波数チャネルにおけるファーストＣＱＩ値の中で最大のファーストＣＱＩ値（最大ファーストＣＱＩ値）とを比較する（Ｓ２５）。最大ファーストＣＱＩ値は、割り当て中の端末から通知された複数のファーストＣＱＩ値のうち、最大の値である。該当周波数チャネルのセカンドＣＱＩ値が、他のどの周波数チャネルのファーストＣＱＩよりも大きいまたは同じ（セカンドＣＱＩ値≧最大ファーストＣＱＩ値）と判断された場合（Ｓ２５でＹＥＳ）、該当周波数チャネルに空きリソースブロックがあるかどうかの判断を行う（Ｓ２６）。該当周波数チャネルに空きリソースブロックがある場合（Ｓ２６でＹＥＳ）、選択された端末にその該当周波数チャネルの空きリソースブロックを割り当て（Ｓ２７）、ステップＳ３０へ進む。該当周波数チャネルの全てのリソースに既に他の端末が割り当てられている（空きリソースブロックがない）場合（Ｓ２６でＮＯ）、該当周波数チャネルをチャネル候補情報から除外した後（Ｓ２８）、ステップＳ２４に戻り、別の周波数チャネルを探すため、チャネル候補情報に並べられた次の周波数チャネルを選択してステップＳ２４以降の処理を実施する。
【００７５】
また、ステップＳ２４やステップＳ２５の条件を満たす周波数チャネルがないと判断された場合は、隣接セルで未使用の周波数チャネルがない（Ｓ２４でＮＯの場合）、あるいは、隣接セルで未使用の周波数チャネルはあるものの該当周波数チャネルの伝搬路状況が悪い（Ｓ２５でＮＯの場合）という状況であると判断し、ファーストＣＱＩ値に基づいて、端末を割り当てる（Ｓ２９）。すなわち、従来のＥ−ＵＴＲＡの周波数スケジューリングと同様、空きリソースがある周波数チャネルのうち、ファーストパイロット信号から得られたファーストＣＱＩ値が最大となる周波数チャネルへ端末を割り当て、ステップＳ３０の処理へ進む。
【００７６】
端末を周波数チャネルへ割り当てる処理（Ｓ２７またはＳ２９）後、ステップＳ２１で生成した端末情報に周波数チャネルへ割り当てていない端末（リソース未割り当て端末）があるかを判断する（Ｓ３０）。リソース未割り当て端末がある場合（Ｓ３０でＹＥＳ）、該当端末にリソース割り当てを行うためにステップＳ２２に戻り、全ての端末へのリソース割り当てが完了した場合（Ｓ３０でＮＯ）、スケジューリング結果を示すスケジューリング情報を生成する（Ｓ３１）。
【００７７】
図７で説明したように、本実施の形態のスケジューリング処理は、品質差分が第一閾値以上（図７のＳ２４）であるチャネルを優先して選択することにより、隣接セルからの干渉が少ないチャネルに端末を割り当てている。上記に加え、当該チャネルのセカンドＣＱＩ値が他のチャネルの最大ファーストＣＱＩ値以上であるチャネルを優先して選択することにより、そもそも伝搬路状況が良好でないと推定されるチャネルを排除し、受信品質を良好に維持している。
【００７８】
このような制御（スケジューリング）を基地局側で行うことにより、端末から通知されたファーストパイロット信号及びセカンドパイロット信号のＣＱＩを利用して、隣接セルの割り当て状況を考慮し、到来する干渉が少ない周波数チャネルを優先して端末に割り当てるスケジューリングを実現することができる。すなわち、本実施の形態のスケジューリング方法（スケジューリング方式）は、ファーストＣＱＩとセカンドＣＱＩとの差分を判定することにより、隣接セルからの干渉の状況（隣接セルに端末が割り当てられているか）を推定できることに着目し、ファーストＣＱＩ値とセカンドＣＱＩ値に基づいて隣接セルからの干渉を示す干渉情報（品質差分、ＣＱＩ差分）を生成（算出）し（干渉情報生成ステップ、干渉情報作成手段）（図７のＳ２３）、作成した干渉情報に基づいて、端末へ優先して割り当てるチャネルを選択し（チャネル選択ステップ、チャネル選択手段）（図７のＳ２４〜Ｓ２６、Ｓ２８）、選択したチャネルへ端末を割り当てること（割り当てステップ、割り当て手段）（図７のＳ２７）によって、隣接セルからの干渉が少ないチャネルを優先して使用することができる。このようにして、基地局は、端末から通知されるＣＱＩ情報に基づいて、上記三つのステップ（手段）を実施することにより、ファーストＣＱＩ値（第一品質情報）とセカンドＣＱＩ値（第二品質情報）との差が、予め設定した第一閾値以上となるチャネルを優先して端末を割り当て、隣接セルからの干渉の影響を抑制するスケジューリング方法（スケジューリング方式）を実現する。
【００７９】
このように、本実施の形態で説明した端末、基地局の装置構成及び制御手順を用いることにより、隣接セルのリソースの割り当て状況を考慮したスケジューリングを行うことが可能となる。これにより、隣接セルから到来する干渉の影響の少ない周波数チャネルを優先して端末に割り当て、良好なデータ伝送を行うことができる。
【００８０】
なお、上記実施の形態では、端末が割り当てられたリソースブロックには常にセカンドパイロット信号が多重されていることを前提としたが、端末が割り当てられたリソースブロックにセカンドパイロット信号が多重されない場合には、チャネル選択・分離部１８は、セカンドパイロット信号の代わりに、データ信号をＣＱＩ測定部２０に通知してデータ信号のＣＱＩを測定させるようにすることもできる。このようにセカンドパイロット信号の代わりとなる信号は、セル内の端末が割り当てられているリソースブロックにおいて、ファーストパイロット信号とは異なる信号区間（信号領域）に伝送されるデータ信号である。ＣＱＩ測定部２０は、セカンドパイロット信号またはその代わりとなるデータ信号のＣＱＩ測定値をセカンドＣＱＩ値（第二品質情報）として、ＣＱＩ情報生成部２３へ通知する。ＣＱＩ情報生成部２３は、セカンドＣＱＩ値としてセカンドパイロット信号のＣＱＩ値であるか、その代わりとなる信号のＣＱＩ値であるかを区別することなく、ＣＱＩ情報を生成する。これにより、セカンドパイロット信号が多重されてないリソースブロックについてもセカンドＣＱＩ値を生成することが可能となり、隣接セルから干渉の影響を把握することが可能になる。
【００８１】
また、上記実施の形態では、ＣＱＩ差分を第一閾値と比較し（図６のＳ２４）、さらにセカンドＣＱＩ値を最大ファーストＣＱＩ値と比較する（図６のＳ２５）という二段階の判断をしている。ＣＱＩ差分と第一閾値との比較（図６のＳ２４）は、隣接セルで当該チャネルに端末が割り当てられているかを推定し、端末が割り当てられていないと推定されるチャネルを他のチャネルより優先して端末へ割り当てる。これにより、隣接セルから到来する干渉の影響を抑制することができる。このうちセカンドＣＱＩ値と最大ファーストＣＱＩ値の比較（図６のＳ２５）は、他の周波数チャネルに比べ対象としている周波数チャネルの品質が劣化しているか否かを判断しているものであり、これにより、伝搬路状況が悪いチャネルを割り当ての対象から排除し、受信品質を良好に維持することができる。
【００８２】
さらに、上記実施の形態では、端末のＣＱＩ情報生成部２３は、複数のファーストＣＱＩ値及びセカンドＣＱＩ値を平均化してＣＱＩ情報を生成したが（図５のＳ５）、必ずしも平均化する必要はない。また、複数のファーストＣＱＩ値及びセカンドＣＱＩ値を他の演算を用いてＣＱＩ情報を生成してもよい。また、ＣＱＩ情報生成部２３が通知するファーストＣＱＩ値とセカンドＣＱＩ値の数は、端末側で最大値を選択するなどの処理を行い、各周波数チャネルでファーストＣＱＩ値とセカンドＣＱＩ値とを一つずつ通知するようにしてもよい。これにより、端末から基地局へ通知する情報量がさらに削減ができる。
【００８３】
また、上記実施の形態では、スケジューリング部４９は、ＣＱＩ差分が第一閾値以上である周波数チャネルが複数ある場合に、ＣＱＩ差分が大きい順番に選択する場合を説明したが、これに限られるわけではない。例えば、前回割り当てた周波数チャネルを優先してもよいし、周波数チャネルのチャネル番号の大きい（周波数の高い）順番あるいは小さい（周波数の低い）順番に処理を進めてもよい。あるいは、複数のＣＱＩ差分値が通知されている周波数チャネルがある場合は、通知されたＣＱＩ差分値が多い周波数チャネルにより多くのセル内の端末が割り当てられていたと推定して、ＣＱＩ差分値が多く通知されている周波数チャネルから選択してもよい。また、その逆に通知されたＣＱＩ差分値が少ない周波数チャネルから順に選択してもよい。
【００８４】
（実施の形態２）
上記実施の形態では、全ての端末においてファーストパイロット信号におけるＣＱＩとセカンドパイロット信号におけるＣＱＩを測定し、その測定結果（ファーストＣＱＩ値、セカンドＣＱＩ値）を示す情報（ＣＱＩ情報）を基地局に通知する構成としていた。また、基地局では、全ての端末に対してファーストパイロット信号から得られたファーストＣＱＩ値とセカンドパイロット信号から得られたセカンドＣＱＩ値を考慮したスケジューリングを行うものとしていた。しかし、実際のシステムにおいては、セルエッジに位置する端末の受信特性は隣接セルから到来する干渉の影響により著しく劣化するが、セル中心付近に位置する端末の受信特性は隣接セルからの干渉にさほど左右されない場合が考えられる。
【００８５】
そこで、上記実施の形態とは異なり、全周波数チャネルのファーストＣＱＩ値または全周波数チャネルのファーストＣＱＩ値を平均した値が予め決められた閾値（第二閾値）以下となる端末（主に、基地局から遠い地点に位置する端末）についてのみ、セカンドＣＱＩ値を考慮したスケジューリングを基地局側で行う形態としてもよい。すなわち、基地局のスケジューリング部４９において、ファーストＣＱＩ値が第二閾値以下となる場合について、図６のステップＳ２４の判断を実施する。具体的には、スケジューリング部４９は、図８に示すような動作を採る。図８は、本実施の形態におけるスケジューリング処理の動作の一例を示すフローチャートである。図８のフローチャートは、図７へステップＳ４１を追加したものであり、図７と同じ符号を付けた処理は、図７と同様である。以下に、図７と異なる点を中心に説明する。
【００８６】
スケジューリング部４９は、スケジューリングを行う（データ送信の要求がある）端末を幾つかリストアップし（Ｓ２１）、リストアップされた端末の中から、リソースが割り当てられていない端末を１つ選択する（Ｓ２２）。選択した端末から通知された各周波数チャネルのファーストＣＱＩ値が予め定めた第二閾値以下であるかを判断する（Ｓ４１）。この際、選択した端末が通知した各周波数チャネルのファーストＣＱＩ値のうち、全部が第二閾値より大きい場合、一部でも第二閾値より大きい場合のいずれかは、システムの状況等により取り決めてもよいし、予め決めておいてもよい。各周波数チャネルのファーストＣＱＩ値が第二閾値以下である、すなわち、隣接セルからの干渉が受信特性に影響するほど大きい（端末が基地局周辺に位置する）と推定できる場合（Ｓ４１でＹＥＳ）、ＣＱＩ差分値を算出する処理（Ｓ２３）へ進み、それ以降は図７と同様の処理を実施する。一方、各周波数チャネルのファーストＣＱＩ値が第二閾値より大きい、すなわち、隣接セルからの干渉が受信特性に影響するほど大きくない（端末がセルエッジ付近に位置する）と推定できる場合（Ｓ４１でＮＯ）、ファーストＣＱＩ値に基づいてチャネルを選択して割り当てる処理（Ｓ２９）へ進み、それ以降は図７と同様の処理を実施する。
【００８７】
また、端末において、ファーストＣＱＩ値が予め決められた第二閾値以下となる場合においてのみ、セカンドＣＱＩ値を基地局に通知する形態としてもよい。このような形態とすることにより、端末から基地局へ通知する情報量を削減することが可能となり、アップリンクの周波数利用効率の向上を図ることができる。具体的には、図５のステップＳ５において、ＣＱＩ情報生成部２３は、周波数チャネル毎に、ファーストＣＱＩ値が第二閾値以下の場合、ファーストＣＱＩ値とセカンドＣＱＩ値とを選択し、ファーストＣＱＩ値が第二閾値より大きい場合、ファーストＣＱＩ値のみを選択してＣＱＩ情報を生成する。端末がファーストＣＱＩ値の大きさを第二閾値と比較して、ファーストＣＱＩ値が第二閾値より大きい周波数チャネルのセカンドＣＱＩ値を選択して通知する場合、基地局のスケジューリング部４９は、図７に示したスケジューリング処理を実施することで、図８のスケジューリング処理と同様の効果が得られることになり、基地局の処理負荷を軽減することになる。
【００８８】
さらに、端末において、図７のステップＳ２４に示すような判断を行い、（ＣＱＩ差分≧第一閾値）を満たす周波数チャネルがある場合にのみセカンドパイロット信号から得られたＣＱＩ値を示す情報（セカンドＣＱＩ値）を基地局に通知する形態としてもよく、アップリンクの情報量の更なる削減が可能となる。ＣＱＩ情報生成部２３は、（ＣＱＩ差分≧第一閾値）を満たす周波数チャネルでは、ファーストＣＱＩ値とセカンドＣＱＩ値とを選択し、それ以外の周波数チャネルでは、ファーストＣＱＩ値のみを選択してＣＱＩ情報を生成する。
【００８９】
基地局では、（ＣＱＩ差分≧第一閾値）を満たす周波数チャネルについて、ファーストＣＱＩ値とセカンドＣＱＩ値とを含み、それ以外の周波数チャネルでは、ファーストＣＱＩ値のみを含むＣＱＩ情報を受信した場合、スケジューリング部４９は、図７のステップＳ２４を除いた処理を実施すればよい。
【００９０】
このように、本実施の形態によれば、ファーストＣＱＩ値の大きさを予め設定した閾値（第二閾値）と比較して周波数チャネルの受信特性を判断することにより、隣接セルの干渉が受信特性に影響を及ぼす（端末がセルエッジ付近に位置する）と判断される場合に隣接セルの影響が少ない周波数チャネルを優先して選択することができる。これにより、基地局の処理負荷を軽減することが可能になる。また、端末側でも隣接セルの干渉の影響を判断する場合には、端末から基地局へ通知するＣＱＩ情報の情報量を削減すること、並びに基地局の処理負荷を軽減するができる。
【００９１】
なお、本実施の形態における端末の構成は図３と、基本的な動作の流れは図５と同様であり、図５のステップＳ５の処理内容が異なる点は上記で説明した通りである。また、本実施の形態における基地局の構成は図４と、基本的な動作は図６と同様であり、図７に示したスケジューリング処理の内容が異なる点は上記で説明した通りである。
【００９２】
（実施の形態３）
上記実施の形態では、ＣＱＩ差分（干渉情報）は、基地局が生成する場合を説明したが、本実施の形態では、端末側で干渉情報を生成する処理を分担する態様を説明する。端末では、各周波数チャネルのファーストＣＱＩ値と、セカンドパイロット信号が配置されている周波数チャネルにおけるセカンドＣＱＩ値（データ信号のＣＱＩ値を測定してセカンドＣＱＩ値とする場合も含む）とを測定する。従って、端末においてＣＱＩ差分を算出することが可能であるため、端末のＣＱＩ情報生成部２３は、ファーストＣＱＩ値とセカンドＣＱＩ値とを含むＣＱＩ情報を生成する代わりに、ファーストＣＱＩ値とＣＱＩ差分とを含むＣＱＩ情報を生成することもできる。本実施の形態の端末並びに基地局の構成は図３、図４と同様であり、基本的な動作は図５、図６と同様であるが、図５のステップＳ５の処理内容並びに図７の動作は異なる。以下に、本実施の形態の動作を具体的に説明する。
【００９３】
まず、端末において、セカンドＣＱＩ値が測定されている周波数チャネルについてＣＱＩ差分を算出する場合を説明する。図５のステップＳ５において、端末のＣＱＩ情報生成部２３は、セカンドＣＱＩ値が測定されている周波数チャネルについてセカンドＣＱＩ値からファーストＣＱＩ値を差し引いたＣＱＩ差分を算出する。ＣＱＩ情報生成部２３は、算出したＣＱＩ差分と、各周波数チャネルのファーストＣＱＩ値とを含むＣＱＩ情報を生成する。ＣＱＩ情報生成部２３は、セカンドＣＱＩ値に代えてＣＱＩ差分をＣＱＩ情報に含めており、この点が上記各実施の形態と異なる。
【００９４】
この場合、基地局のスケジューリング部４９は、図７においてステップＳ２３を除いたスケジューリング処理を実施することになる。加えて、図７のステップＳ２５については、ＣＱＩ差分と共に通知されたファーストＣＱＩ値を利用して同様の処理を行う。すなわち、選択されたチャネルのファーストＣＱＩ値とＣＱＩ差分とを加算してセカンドＣＱＩ値を算出し、算出したＣＱＩ値と最大ファーストＣＱＩ値とを比較する。また、スケジューリング部４９は、図８のスケジューリング処理を実施する場合も同様にステップＳ２３を除いた処理を実施する。これにより、基地局の処理負荷を軽減することができる。
【００９５】
また、ＣＱＩ差分が所定の条件を満たすか否かを端末において判定し、所定の条件を満たす場合にのみＣＱＩ差分を基地局へ通知する態様としてもよい。すなわち、端末のＣＱＩ情報生成部２３は、ＣＱＩ差分を算出するとともに、基地局側で判定していた図６のステップＳ２４及びステップＳ２５に示す判断を行い、（ＣＱＩ差分≧第一閾値）を満たし、かつ（セカンドＣＱＩ値≧最大ファーストＣＱＩ値）を満たす周波数チャネルがある場合にのみＣＱＩ差分を基地局に通知する態様である。上記のようにＣＱＩ差分を算出して通知する場合に比べ、アップリンクの情報量の更なる削減が可能となる。ここでは、所定の条件は、（ＣＱＩ差分≧第一閾値）を満たし、かつ（セカンドＣＱＩ値≧最大ファーストＣＱＩ値）を満たすこととし、第一差分条件とする。
【００９６】
具体的には図５のステップＳ５において、端末のＣＱＩ情報生成部２３は、セカンドＣＱＩ値が測定されている周波数チャネルについてセカンドＣＱＩ値からファーストＣＱＩ値を差し引いたＣＱＩ差分を算出し、算出したＣＱＩ差分が、第一差分条件である（ＣＱＩ差分≧第一閾値）、かつ（セカンドＣＱＩ値≧最大ファーストＣＱＩ値）を満たすか否かを判定する。ＣＱＩ情報生成部２３は、判定結果が第一差分条件を満たす周波数チャネルのＣＱＩ差分と、各周波数チャネルのファーストＣＱＩ値とを含むＣＱＩ情報を生成する。ＣＱＩ情報生成部２３は、セカンドＣＱＩ値に代えて所定の条件を満たしたＣＱＩ差分をＣＱＩ情報に含めており、この点が上記各実施の形態と異なる。
【００９７】
この場合、基地局において、スケジューリング部４９は、ＣＱＩ情報として、周波数チャネル毎のファーストＣＱＩ値と、所定の条件を満たした周波数チャネルのＣＱＩ差分を各端末から受信し、図９に示すスケジューリング処理の動作を実施する。図９は、本実施の形態におけるスケジューリング処理の動作の別の一例を示すフローチャートである。図９のスケジューリング処理は、図７のステップＳ２３、Ｓ２４、Ｓ２５を削除し、ステップ２４に代えてステップＳ５１を追加している。図７と同じ符号の処理は同様の処理である。
【００９８】
ステップＳ５１では、スケジューリング部４９は、ＣＱＩ差分が端末から通知されているかを判断し、通知されている場合は、図７のステップＳ２６以降と同じ処理を実施する。また、Ｓステップ５１では、図７のステップＳ２４と同様に通知されたＣＱＩ差分が複数ある場合、スケジューリング部４９は、ＣＱＩ差分の大きい順に処理を実施する。
【００９９】
これにより、端末から基地局へ通知するＣＱＩ情報の情報量を削減するとともに、基地局の処理負荷を軽減することができる。また、図９へ、図８で示したステップＳ４１の処理を、ステップＳ２２の後に追加することもできる。
【０１００】
さらに、端末において、所定の条件が第一差分条件と異なる場合を説明する。第一差分条件に加え、基地局側で判定していた図８のステップＳ４１に示す判断（ファーストＣＱＩ値≦第二閾値）を行う。ここで、第一差分条件に（ファーストＣＱＩ値≦第二閾値）を加えた条件を第二差分条件とする。具体的には図５のステップＳ５において、ＣＱＩ情報生成部２３は、セカンドＣＱＩ値が測定されている周波数チャネルについて、（ファーストＣＱＩ値≦第二閾値）を満たす場合に、ＣＱＩ差分を算出し、算出したＣＱＩ差分が（ＣＱＩ差分≧第一閾値）、かつ（セカンドＣＱＩ値≧最大ファーストＣＱＩ値）を満たすか否かを判定する。ＣＱＩ情報生成部２３は、判定結果が第二差分条件を満たす周波数チャネルのＣＱＩ差分と、各周波数チャネルのファーストＣＱＩ値とを含むＣＱＩ情報を生成する。これにより、さらに、端末から基地局へ通知するＣＱＩ情報の情報量を削減することができる。
【０１０１】
この場合、基地局において、スケジューリング部４９は、ＣＱＩ情報として、周波数チャネル毎のファーストＣＱＩ値と、第二差分条件を満たした周波数チャネルのＣＱＩ差分とを各端末から受信し、図９のスケジューリング処理を実施する。
【０１０２】
なお、端末のＣＱＩ情報生成部２３は、（セカンドＣＱＩ値≧最大ファーストＣＱＩ値）を除いて判断してもよい。具体的には、第一差分条件はＣＱＩ差分が（ＣＱＩ差分≧第一閾値）を満たすこと、第二差分条件は周波数チャネルが（ファーストＣＱＩ値≦第二閾値）を満たし、かつＣＱＩ差分が（ＣＱＩ差分≧第一閾値）を満たすこと、としてもよい。
【０１０３】
以上説明したように、本実施の形態のスケジューリング方法（スケジューリング方式）は、実施の形態１において、基地局で実施していたＣＱＩ差分（干渉情報）を算出する干渉情報生成ステップ（干渉情報生成手段）を端末側で実施するように変更したものである。干渉情報生成ステップは、基地局あるいは端末のいずれかで実施されればよい。また、干渉情報生成ステップを端末側で実施する場合、チャネル選択ステップ（チャネル選択手段）で実施していた判断の一部分（図７のステップ２４、２５）を端末側で実施させることも可能である。基地局は、端末から通知されたＣＱＩ情報（干渉情報）に基づいて、チャネル選択ステップと割り当てステップとを実施する。このようにして、基地局は、端末から通知されるＣＱＩ情報（本実施の形態では、ＣＱＩ差分を含む）に基づいて、ファーストＣＱＩ値（第一品質情報）と、セカンドＣＱＩ値（第二品質情報）との差が、予め設定した第一閾値以上となるチャネルを優先して端末を割り当て、隣接セルからの干渉の影響を抑制するスケジューリング方法（スケジューリング方式）を実現する。
【０１０４】
このように、本実施の形態では、ＣＱＩ差分の算出を端末側で実施する態様について説明した。これにより、実施の形態１の効果に加え、基地局側の処理の負荷を軽減することができる。また、端末側で、基地局に通知するＣＱＩ差分を選択することにより、端末から基地局へ通知するＣＱＩ情報の情報量を削減することができる。
【０１０５】
なお、実施の形態２並びに実施の形態３において、端末のＣＱＩ情報生成部２３は、一つの周波数チャネルについて複数のセカンドＣＱＩ値を作成し、複数のＣＱＩ差分を算出する場合、少なくとも各周波数チャネルで最大となるＣＱＩ差分のみをＣＱＩ情報へ含めればよい。これにより、情報量を削減できる。複数のＣＱＩ差分を含めてもかまわない。また、ＣＱＩ情報生成部２３は、実施の形態１と同様に、複数のファーストＣＱＩ値及びセカンドＣＱＩ値を平均化してＣＱＩ差分を算出してもよいし、リソースブロック毎にＣＱＩ差分を算出して、最大のＣＱＩ差分をＣＱＩ情報へ含めるようにしてもよい。
【０１０６】
以上説明したように、本発明の好適な実施の形態によれば、ファーストパイロット信号の信号区間の受信品質と、ファーストパイロット信号とは異なる信号区間の受信品質情報とに基づいて、隣接セルのリソースブロックの利用状況を推定することにより、隣接セルの干渉の影響を考慮したスケジューリングを行うことが可能になる。
【０１０７】
また、上記各実施の形態では、図１０に示すように一つのチャネル（周波数チャネル）は複数のリソースブロックを含むことを前提とし、基地局は、ＣＱＩ情報に基づいて、複数のチャネルのうち一つのチャネルを選択し、選択したチャネルの空き領域に端末を割り当てる動作を説明した。この場合、一つのチャネルに複数のリソースブロックがあるため、各リソースブロックに異なる端末が割り当てられることから、結果として一つのチャネルに複数の端末が割り当てられることになる。一方、一つのチャネルに一つの端末のみ割り当てられる場合もある。例えば、一つのチャネルが一つのリソースブロックから構成される場合であり、選択したチャネルに既に他の端末が割り当てられている場合には、リソース（チャネル）に空きがないため（例えば、図７のＳ２６）、他のチャネルを選択することになる。また、端末が複数のリソースブロックを必要としている場合にも、一つのチャネルの複数のリソースブロックに割り当てた結果、一つのチャネルに一つの端末が割り当てられることもある。このように、スケジューリングにおいて、基地局がチャネルに端末を割り当てるという場合、チャネルの全部に一つの端末を割り当てることを必ずしも意味するものではない。チャネルが複数の送信単位（リソースブロック）を含む場合は、チャネルの一部の送信単位に端末を割り当てることも意味する。
【０１０８】
さらに、上記各実施の形態では、スケジューリングを行う基準となるチャネル（リソース）として周波数チャネルに基づいて端末を割り当てる場合を説明したが、時間チャネル（フレーム）に基づいてスケジューリングを行ってもよい。この場合、一つのリソースブロックでは、ファーストパイロット信号が割り当てられた信号区間（信号領域）とは異なる周波数軸方向の信号区間にセカンドパイロット信号が割り当てられる。図１０の下段の図では、ファーストパイロット信号とセカンドパイロット信号が割り当てられるサブキャリアが異なることになる。スケジューリングの動作は上記各実施の形態と同様である。
【０１０９】
チャネルとして符号を用い、符号に基づいてスケジューリングする場合は、ファーストパイロット信号を変調した符号と、第二のパイロット信号（あるいはデータ信号）を変調した符号が異なることになる。
【図面の簡単な説明】
【０１１０】
【図１】Ｅ−ＵＴＲＡシステムにおいて隣接セルから到来する干渉波の状況について示す図である。
【図２】一フレームの構成例と、隣接セルの端末割り当て状況に応じた端末Ａにおける受信ＣＱＩの変動例を示す図である。
【図３】実施の形態１における端末装置の構成の一例を示すブロック図である。
【図４】実施の形態１における基地局装置の構成の一例を示すブロック図である。
【図５】実施の形態１の端末の動作の一例を示すフローチャートである。
【図６】実施の形態１の基地局の動作の一例を示すフローチャートである。
【図７】実施の形態１のスケジューリング処理の動作の一例を示すフローチャートである。
【図８】実施の形態２のスケジューリング処理の動作の一例を示すフローチャートである。
【図９】実施の形態３のスケジューリング処理の動作の一例を示すフローチャートである。
【図１０】Ｅ−ＵＴＲＡのダウンリンクにおける周波数・時間リソースの分割例を示す図である。
【符号の説明】
【０１１１】
１０、４０  アンテナ部
１１、４１  無線部
１２、４２  スイッチ
１３、４３  Ａ／Ｄ変換部（Ａ／Ｄ）
１４、４４  同期部
１５、４５  ＧＩ除去部
１６、４６  Ｓ／Ｐ変換部（Ｓ／Ｐ）
１７、４７  ＦＦＴ部（ＦＦＴ）
１８、  チャネル選択・信号分離部
１９  伝搬路推定部
２０  ＣＱＩ測定部
２１  伝搬路補償部
２２  デマッピング・誤り訂正復号部
２３  ＣＱＩ情報生成部
２４、５０  誤り訂正符号化・変調部
２５、５１  Ｓ／Ｐ変換部
２６、５２  パイロット信号多重部
２７、５３  ＩＦＦＴ部（ＩＦＦＴ）
２８、５４  ＧＩ挿入部
２９、５５  Ｄ／Ａ変換部（Ｄ／Ａ）
３０、５６  受信機
３１、５７  送信機
４８  復調・誤り訂正復号部
４９  スケジューリング部
１００  端末装置
２００  基地局装置
【図１】
2008035158.tif 000003
【図２】
2008035158.tif 000004
【図３】
2008035158.tif 000005
【図４】
2008035158.tif 000006
【図５】
2008035158.tif 000007
【図６】
2008035158.tif 000008
【図７】
2008035158.tif 000009
【図８】
2008035158.tif 000010
【図９】
2008035158.tif 000011
【図１０】
2008035158.tif 000012